(57)【特許請求の範囲】
【請求項１】
シートボトムおよびシートバックのいずれか一方に固定された第１ブラケットと、他方に固定されて第１ブラケットに回動中心回りに相対回動可能に連結された第２ブラケットと、第１および第２ブラケット間に介設されて操作桿の操作で上記回動中心回りに回動するカムと、このカムの正逆回動に連係して第１および第２ブラケット間で径方向に出没するロックプレートとが備えられ、第１ブラケットにはロックプレートを嵌め込む、周面が上記回動中心周りの円軌跡に沿った円形凸部と、この円形凸部に凹設された、ロックプレートの出没を案内する案内溝とが設けられている一方、第２ブラケットには上記円形凸部が摺接状態で嵌め込まれる円形凹部と、上記案内溝から突出したロックプレート先端の係止歯と噛合する上記円形凹部の内周面に形成された内歯とが設けられ、上記ロックプレートが上記案内溝から突出するようにカムを支持軸回りに付勢する付勢手段が設けられてなるシートのリクライナ構造において、上記第１および第２ブラケット間には、上記内歯をマスクして上記ロックプレートの内歯に対する噛合を阻止するメモリープレートが介設され、このメモリープレートは、環状のプレート本体と、このプレート本体の対向周面から延設され、かつ、円形凹部の内歯と円形凸部との間に介設されて内歯を所定範囲でマスクするように設けられた一対のマスク片とからなっていることを特徴とするシートのリクライナ構造。
【請求項２】
上記プレート本体には、外方に向かって突設されたプレート本体の回動操作用の操作レバーが設けられていることを特徴とする請求項１記載のシートのリクライナ構造。
【請求項３】
上記マスク片は、弾性変形により上記内歯に係脱自在に噛合する位置決め突起を有していることを特徴とする請求項１または２記載のシートのリクライナ構造。
【発明の詳細な説明】
【０００１】
【発明の属する技術分野】
本発明は、シートのリクライナ構造の改良に関するものである。
【０００２】
【従来の技術】
従来、シートボトムとシートバックとの間に介設されたシートのリクライナ構造が知られている。このリクライナ構造は、シートボトムおよびこのシートボトムに傾倒可能に取り付けられたシートバックのいずれか一方に固定された第１ブラケットと、他方に固定され、かつ、第１ブラケットに回動中心回りに相対回動可能に連結された第２ブラケットとの間に介設されている。
【０００３】
そして、かかるリクライナ構造には、第１ブラケットと第２ブラケットとの間に介設され、かつ、上記回動中心と同心の支持軸回りに共回り可能に固定されたカムが設けられている。このカムは、支持軸の正逆回動によって先端面に係止歯を備えたロックプレートを第１および第２ブラケット間で径方向に正逆移動させるものである。また、第１ブラケットには、互いに平行な対向壁間に形成された、径方向に延びる案内溝が設けられ、上記ロックプレートが上記カムの回動で案内溝内を正逆移動することによって係止歯が案内溝から出没するようになっている。
【０００４】
一方、第２ブラケットには、上記回転中心と同心の円軌跡に沿って内歯が形成されている。これによって上記カムの回動でロックプレートが案内溝から外方に突出し、その係止歯が内歯に噛合することによって第１ブラケットと第２ブラケットとの相対回動が規制されるとともに、カムの逆回動で係止歯の内歯に対する噛合が解除されることにより、第１ブラケットと第２ブラケットとが相対回動し得るようになる。
【０００５】
従って、上記支持軸に操作桿を取り付け、この操作桿の操作で支持軸を正逆回動することにより、係止歯を内歯に噛合させてシートバックの傾倒位置をロックすることができるとともに、上記噛合を解除して傾倒位置の変更を行うことが可能になる。
【０００６】
【発明が解決しようとする課題】
ところで、従来の上記のようなリクライナ構造においては、第２ブラケットに形成された内歯は、シートバックの立直位置と後倒位置とに対応してこれらの位置間に部分的に設けられ、これによって立直位置と後倒位置との間では任意の角度でシートバックの傾倒位置を設定し得るようになっているだけであるため、かかるリクライナ構造を備えたシートが車両の前席である場合、後席の搭乗者が乗降する場合にシートバックを最前屈位置まで傾倒操作したあと元に戻すと、最初のロック位置（初段ロック位置）で傾倒位置が一旦ロックされてしまうことになる。従って、前席の着座者は、このロックを解除してシートバックを所望の傾倒姿勢に再調整しなければならず、非常に面倒であるという問題点を有していた。
【０００７】
また、シートバックのロック可能な傾倒位置の範囲を変更しようとしても、従来のリクライナ構造では、内歯の形成範囲を変更することができないため、この範囲を超えた位置でシートバックをロックすることができず、シートバックの位置設定の範囲が狭いという問題点も有していた。
【０００８】
本発明は、上記のような従来の問題点を解決するためになされたものであり、シートバックの傾倒位置のロック範囲を任意に設定することが可能なシートのリクライナ構造を提供することを目的としている。
【０００９】
【課題を解決するための手段】
請求項１記載の発明は、シートボトムおよびシートバックのいずれか一方に固定された第１ブラケットと、他方に固定されて第１ブラケットに回動中心回りに相対回動可能に連結された第２ブラケットと、第１および第２ブラケット間に介設されて操作桿の操作で上記回動中心回りに回動するカムと、このカムの正逆回動に連係して第１および第２ブラケット間で径方向に出没するロックプレートとが備えられ、第１ブラケットにはロックプレートを嵌め込む、周面が上記回動中心周りの円軌跡に沿った円形凸部と、この円形凸部に凹設された、ロックプレートの出没を案内する案内溝とが設けられている一方、第２ブラケットには上記円形凸部が摺接状態で嵌め込まれる円形凹部と、上記案内溝から突出したロックプレート先端の係止歯と噛合する上記円形凹部の内周面に形成された内歯とが設けられ、上記ロックプレートが上記案内溝から突出するようにカムを支持軸回りに付勢する付勢手段が設けられてなるシートのリクライナ構造において、上記第１および第２ブラケット間には、上記内歯をマスクして上記ロックプレートの内歯に対する噛合を阻止するメモリープレートが介設され、このメモリープレートは、環状のプレート本体と、このプレート本体の対向周面から延設され、かつ、円形凹部の内歯と円形凸部との間に介設されて内歯を所定範囲でマスクするように設けられた一対のマスク片と、プレート本体から外方に向かって突設された、プレート本体の回動操作用の操作レバーとからなっていることを特徴とするものである。
【００１０】
この発明によれば、メモリープレートを回動操作することによって、プレート本体に設けられたマスク片による内歯のマスク位置が変更される。そして、マスク片による内歯のマスク位置を変更することにより、ロックプレートの内歯に対する噛合位置が変更され、これによってシートバックの傾倒姿勢のロック可能位置が変更になる。すなわち、メモリープレートがシートバックのいわゆるロックフリー位置を記憶した状態になる。
【００１１】
従って、プレート本体の回動操作でシートバックのロックフリー位置を任意に変更することが可能になるため（すなわちシートバックのロック可能位置を任意に設定することが可能になるため）、シートバックの傾倒位置の選択範囲が拡大し、これによって状況に応じてより適したシートバックの傾倒位置を直ちに再現させることができるようになる。
【００１２】
また、シートバックのロックの初段位置は、車種によって異なるのが一般的であるため、従来のリクライナ構造では、車種に応じて内歯の形成位置を異ならせた第２ブラケットを複数種類つくらなければならないが、本発明では、第２ブラケットの全内周面に内歯を形成することにより、メモリープレートのマスク片の位置をずらせるだけで各種の車種に対応することが可能であり、部品の共通化が実現する。
【００１３】
請求項２記載の発明は、請求項１記載の発明において、上記プレート本体には、外方に向かって突設されたプレート本体の回動操作用の操作レバーが設けられていることを特徴とするものである。
【００１４】
この発明によれば、外方に向かって突出した操作レバーを操作することによってプレート本体を回動させることが可能になり、マスク片の位置設定操作が容易になる。
【００１５】
請求項３記載の発明は、請求項１または２記載の発明において、上記マスク片は、弾性変形により上記内歯に係脱自在に噛合する位置決め突起を有していることを特徴とするものである。
【００１６】
この発明によれば、操作レバーの操作でメモリープレートを回動させると、位置決め突起が第２ブラケットの内歯に係脱するため、このときの手応えで節度感が得られ、これによってメモリープレートの回動量が実感される。
【００１７】
また、一旦設定されたメモリープレートの回動位置は、位置決め突起が内歯に噛合する位置で維持されるため、操作レバーに力を加えて操作しない限りシートバックを傾倒操作することによる第２ブラケットの回動によってメモリープレートの設定位置が変わるような不都合が回避され、一旦設定されたロックフリー範囲は確実に保持される。
【００１８】
【発明の実施の形態】
図１は、本発明のリクライナ構造が適用されるリクライニングシートの一実施形態を示す側面視の説明図である。この図に示すように、自動車用のシートＳは、シートボトムＳ１と、シートバックＳ２とからなり、シートボトムＳ１とシートバックＳ２とは、一対のリクライナ１で前後傾倒自在に連結されている。
【００１９】
図２は、リクライナ１の一実施形態を示す一部切欠き分解斜視図であり、図３はその組立斜視図である。これらの図に示すように、リクライナ１は、シートボトムＳ１（図１）に固定された第１ブラケット２と、シートバックＳ２に上記第１ブラケット２に対向して固定される第２ブラケット３と、これらブラケット２，３間に介設される一対のロックプレート４と、カム軸６回りに正逆共回りして上記一対のロックプレート４を離接する方向に移動させるカム５と、上記カム軸６を軸心回りに正逆回動操作する操作桿７と、この操作桿７を抜け止めして保持する保持プレート８と、第１ブラケット２と第２ブラケット３との間に介設されるメモリープレート９とを備えた基本構成を有している。
【００２０】
上記第１ブラケット２は、上部が半円状で下部が下広がりに形成され、半円状の曲率中心部分に上記カム軸６を挿通する挿通孔２１が穿設されているとともに、左方の面には、前後方向一対のガイド部材２２が幅方向の内方（図２の左方）に向けて押し起こしで膨設されている。各ガイド部材２２は、挿通孔２１を中心とした円弧状に形成され、かつ、挿通孔２１に対して点対称に形状設定されている。これら一対のガイド部材２２によって本発明に係る円形凸部が形成されている。
【００２１】
図４は、図２のＸ線視およびＹ線視の斜視図であり、上記各ガイド部材２２の対向面には、それぞれ上下方向に延びるガイド凹部２３が凹設されているとともに、このガイド凹部２３の凹設によって各ガイド部材２２の上下部には互いに対向する方向に突出したガイド突起２２ａが形成されている。
【００２２】
そして、対向したガイド凹部２３間にはロックプレート４およびカム５を収容する収容空間２４が形成されているとともに、ガイド突起２２ａの対向面間に各ロックプレート４の一部（後述する係止歯プレート４１）を摺接状態で嵌装する上下一対の案内溝２５が形成されている。
【００２３】
また、各ガイド部材２２の表面には、ガイド部材２２の外周面と同心の円弧状のガイド凸条２２ｂがそれぞれ設けられ、これらのガイド凸条２２ｂが第２ブラケット３の円形ガイド溝３１ａに摺接状態で嵌入されるようになっている。
【００２４】
上記第２ブラケット３は、図２および図４に示すように、下方が円形状に形成されているとともに上方が略矩形状に形成されている。かかる第２ブラケット３の左側面には、円形状部分の曲率中心を中心とした裏側（右面）からの押し起こしによる円形膨出部３１が膨設されているとともに、この円形膨出部３１の中心部分には上記第１ブラケット２の挿通孔２１に対向した貫通孔３２が穿設されている。
【００２５】
また、円形膨出部３１の図４における右面側には装着凹部（円形凹部）３３が凹設されている。この装着凹部３３の内径寸法は、上記一対のガイド部材２２の曲率半径より僅かに大きく寸法設定されて、第１ブラケット２と第２ブラケット３とを合わせることにより、各ガイド部材２２の円弧外周面と装着凹部３３の内周面との間に僅かな隙間を形成した状態で各ブラケット２，３がカム軸６（図２）回りに相対回動可能に連結されるようになっている。
【００２６】
また、装着凹部３３の右側面には、上記ガイド凸条２２ｂに対応した上記貫通孔３２と同心の円形ガイド溝３１ａが凹設され、ガイド凸条２２ｂが円形ガイド溝３１ａに嵌め込まれることによって第１ブラケット２と第２ブラケット３との相対回動がより安定して行われるようになっている。かかる装着凹部３３の内周面には、径方向に切り込まれることによって形成された内歯３４が全周に亘って設けられている。
【００２７】
かかる第２ブラケット３の上縁部には、前後端部にそれぞれ取付け孔が穿設され、これらの取付け孔を介してボルト止めされることにより第２ブラケット３がシートバックＳ２に固定されるようになっている。また、第２ブラケット３は、前後の取付け孔間に第１ブラケット２の方向に向かって突設された位置決め突起を有している。これらの位置決め突起は、第１ブラケット２が第２ブラケット３から外れないように押さえる押え板３５（図２）の装着位置を位置決めするためのものである。
【００２８】
そして、第２ブラケット３に第１ブラケット２を積層した状態で押え板３５を第２ブラケット３に固定することにより、押え板３５が第１ブラケット２の回動を許容しながらその上部を押さえた状態になり、これによって第１ブラケット２の上部が第２ブラケット３から離間するのを防止するようにしている。
【００２９】
また、上記第１ブラケット２の下縁部にも前後端部にそれぞれ取付け孔が穿設され、これらの取付け孔を介してボルト止めされることにより第１ブラケット２がシートボトムＳ１に固定されるようになっている。
【００３０】
図５は、ロックプレート４の一実施形態を示す正面図であり、（イ）はロックプレート４の係止歯４１ａが案内溝２５から外部に突出した状態、（ロ）は係止歯４１ａが案内溝２５内に没入した状態をそれぞれ示している。図５に示すように、ロックプレート４は、第１ブラケット２の案内溝２５に上下動可能に嵌め込まれる係止歯プレート４１と、この係止歯プレート４１の基端側に一体に連設された鈎形プレート４２とからなっている。
【００３１】
上記係止歯プレート４１は、先端縁に形成された第２ブラケット３の内歯３４（図２、図４）に噛合する係止歯４１ａを有しており、ガイド部材２２が装着凹部３３に嵌め込まれた状態で係止歯４１ａが内歯３４に噛合することにより第１ブラケット２と第２ブラケット３との相対回動が規制されるようになっている。
【００３２】
上記鈎形プレート４２は、外方の側縁部がガイド凹部２３の内縁部に摺接するとともに、内方の縁部がカム５の外周面に摺接するように形状設定され、係止歯プレート４１の基端部に一体に結合された横方向に延びる横プレート４３と、この横プレート４３の時計方向の端部から係止歯プレート４１と反対方向に延びた縦プレート４４とからなっている。縦プレート４４の長さ寸法は、ガイド凹部２３の上下寸法より距離ｄだけ短く寸法設定され、これによって縦プレート４４はガイド凹部２３内で距離ｄだけ上下動し得るようになっている。
【００３３】
上記距離ｄは、係止歯４１ａの歯丈寸法より若干大きめに設定され、鈎形プレート４２が挿通孔２１（図２）から径方向に外方に向けて移動することによって係止歯プレート４１の係止歯４１ａが内歯３４（図２、図４）に噛合する一方、鈎形プレート４２が挿通孔２１の方向に向けて移動することにより、係止歯４１ａの内歯３４に対する噛合が解除されるようになっている。
【００３４】
また、横プレート４３と縦プレート４４とは略直角に結合され、これら横プレート４３および縦プレート４４の各内側部分にカム５を収容する湾曲凹部４５が形成されている。また、横プレート４３の両端部には、ガイド部材２２のガイド突起２２ａに当接する当接突片４３ａが設けられ、これらの当接突片４３ａがガイド突起２２ａに当接することにより係止歯プレート４１の荷重を受けた方向に向かう傾倒が阻止され、これによって常に係止歯４１ａが内歯３４に対して確実に噛合されるようにしている。
【００３５】
また、縦プレート４４の略中央位置にはカム５に向かって突設された係合突起４４ａが設けられ、この係合突起４４ａが回動するカム５と干渉することによって係止歯プレート４１が案内溝２５内に没入するようになっている。
【００３６】
また、一対のロックプレート４は、それらが挿通孔２１の孔心を中心とした収容空間２４の点対称位置に装着された状態で、一方の縦プレート４４の先端部が他方の横プレート４３の側端面に当接するように形状設定されており、これによって各ロックプレート４の収容空間２４への装着状態が安定するようになっている。
【００３７】
上記カム５は、略楕円形状を呈したカム本体５１と、このカム本体５１の点対称位置の縁部から外方に向かって突設された一対の押圧突起５２とからなっている。カム本体５１の中心部分にはカム軸６が挿通される六角孔５３が穿設されている。一方、カム軸６は、図３に示すように、シートボトムＳ１を横断して左右のリクライナ１（図３では一方のリクライナ１のみを示している。）間に架橋され、操作桿７の操作が両リクライナ１に及ぶようにしている。具体的には、カム軸６は、上記六角孔５３に摺接内嵌されるように寸法設定され、操作桿７の操作で一方のリクライナ１のカム５を回動操作することにより、このカム５の回動がカム軸６を介して他方のリクライナ１のカム５に伝達され、他方のカム５が一方のカム５と軸心回りに同期回動するようになっている。
【００３８】
上記一対の押圧突起５２は、図５に示すように、各ロックプレート４の縦プレート４４にそれぞれ突設された係合突起４４ａに対応して設けられ、図５の（イ）に示す状態のカム５がカム軸６回りに時計方向に回動することによって押圧突起５２が係合突起４４ａを押圧し、これによって、図５の（ロ）に示すように、ロックプレート４は係止歯４１ａが案内溝２５内に没入したロック解除位置に位置するようになっている。
【００３９】
上記操作桿７は、図２に示すように、Ｌ字形状を呈したＬ形板７１と、このＬ形板７１の先端部に取り付けられた取っ手７２とからなっている。Ｌ形板７１の上端部には、カム軸６を挿通するための挿通孔７３が穿設されているとともに、この挿通孔７３を挟んで一対の切起し片７４が第１ブラケット２の挿通孔２１に貫通されるように突設されている一方、上記カム５には切起し片７４が嵌入される係止孔５４が穿設されている。カム５とＬ形板７１とで第１ブラケット２を挟んだ状態で上記係止孔５４に切起し片７４を嵌め込んで係止することにより、取っ手７２の操作で操作桿７をカム軸６回りに回動することによってカム５がカム軸６回りに共回りするようになっている。
【００４０】
かかる操作桿７は、切起し片７４が第１ブラケット２の挿通孔２１に貫通されてカム５の係止孔５４に差し込まれた状態で、保持プレート８が第１ブラケット２にリベット７６（図３）でかしめ止めされることにより外れ止めされ、これによって操作桿７の第１ブラケット２への装着状態を安定させるようになされている。
【００４１】
上記保持プレート８は、図２に示すように、操作桿７のＬ形板７１を押さえるプレート本体８１と、このプレート本体８１の上縁部に外方に向かって突設された円弧板８２とからなっている。プレート本体８１の下縁部後端にはばね掛け突片８３が突設されている一方、上記操作桿７のＬ形板７１にもばね掛け突片７５が突設され、これら両突片７５，８３間にコイルばね８４が張設されることによって操作桿７がカム軸６回りに反時計方向に向けて付勢されるようにしている。
【００４２】
そして、操作桿７がカム軸６回りに反時計方向に向けて付勢されることにより、上記カム５も操作桿７の切起し片７４を介してカム軸６回りに反時計方向に向かって回動するように付勢力を受けているため、カム５がロックプレート４を径方向に外方に向けて押圧した状態になっており、これによる係止歯４１ａの案内溝２５から外部への突出によって係止歯４１ａが第２ブラケット３の内歯３４に噛合し、普段は第２ブラケット３のカム軸６回りの回動が規制された状態になっている。
【００４３】
この状態で操作桿７を上方に向けて操作することにより、カム５がカム軸６回りに時計方向に回動し、カム５の押圧突起５２による係合突起４４ａの押圧により係止歯４１ａが第１ブラケット２の案内溝２５内に没入して係止歯４１ａの内歯３４に対する噛合が解除され、これによってシートバックＳ２の傾倒姿勢を任意に設定し得るようになる。
【００４４】
また上記押え板３５にも、図２における右方に向かって突設されたばね掛け突片３５ａが突設され、このばね掛け突片３５ａと上記保持プレート８の円弧板８２前縁部との間に渦巻きばね１０が装着されている。そしてこの渦巻きばね１０によって第２ブラケット３が押え板３５を介してカム軸６回りに反時計方向に向かう付勢力を受け、シートバックＳ２はかかる第２ブラケット３を介して常に前倒姿勢になるように付勢されている。
【００４５】
以下、メモリープレート９について、図６および必要に応じて他の図も参照しながら説明する。図６は、メモリープレートの一実施形態を示す斜視図である。メモリープレート９は、第１ブラケット２と第２ブラケット３（図２）との間に介設されてロックプレート４のアンロック域Ｒ（図７）を形成するものである。
【００４６】
かかるメモリープレート９は、薄いばね材にプレス処理を施すことによって形成されたものであり、第２ブラケット３の内径が第２ブラケット３の装着凹部３３の内径と略同一に寸法設定され、かつ、上記一対のガイド部材２２によって形成された第１ブラケット２の円形凸部の径寸法より僅かに大きい環状のプレート本体９１と、このプレート本体９１の内周縁の対向周面から第２ブラケット３の内歯３４（図２）を所定範囲で覆ってマスクするように延設された一対のマスク片９２と、プレート本体から外方に向かって突設された、プレート本体の回動操作用の操作レバー９３とからなっている。
【００４７】
上記マスク片９２は、プレート本体９１の内周面から内方に向かって突設され、かつ、装着凹部３３に向かって（図６の紙面の左方に向かって）折り曲げられた接続片９４を介してプレート本体９１と一体になっている。かかるマスク片９２は、接続片９４の周方向の両端部からカム軸６の軸心を中心とした円軌跡に沿うように互いに反対方向に突設されて形成されている。そして、このマスク片９２によってロックプレート４の係止歯４１ａの内歯３４に対する噛合を阻止するアンロック域Ｒが形成されている。
【００４８】
また、各マスク片９２の両端部には、径方向の外方に向かって押し起こしで突設された位置決め突起９２ａがそれぞれ形成されている。これら位置決め突起９２ａは、いずれも内歯３４に噛合する位置に設けられ、これによって普段は位置決め突起９２ａが内歯３４に嵌まり込むことによってメモリープレート９の周方向の設定位置が安定する一方、操作レバー９３の操作でプレート本体９１を回動操作するときは、位置決め突起９２ａが内歯３４の山部を乗り越えるに際してマスク片９２がプレート本体９１の径方向の内側に向かって弾性変形してこの力が操作レバー９３に伝わり、これによって節度感を得ることができる。
【００４９】
なお、上記位置決め突起９２ａは、図６に示すようなスポット的なものに限定されるものではなく、マスク片９２の全幅に亘って径方向の外方に膨出した幅方向に延びる突条であってもよい。
【００５０】
以下、図７および図８を基に本発明の作用について説明する。図７は、シートバックＳ２の標準的な初段位置（ロック可能範囲においてシートバックＳ２が最前方位置でロックされる位置）Ｔ１が得られるようにメモリープレート９を位置設定した場合を示す説明図であり、（イ）は、シートバックＳ２が初段位置で傾倒ロックされた状態、（ロ）は、シートバックＳ２が最前倒位置Ｔ３に倒された状態をそれぞれ示している。また、図８は、シートバックＳ２の初段位置を標準的なものより後倒側になるように調整後初段位置Ｔ２にメモリープレート９を位置設定した場合を示す説明図であり、（イ）は、シートバックＳ２が初段位置で傾倒ロックされた状態、（ロ）は、シートバックＳ２が最前倒位置Ｔ３に倒された状態をそれぞれ示している。
【００５１】
まず、図７の（イ）に示すように、シートバックＳ２の初段位置が標準初段位置Ｔ１になるようにマスク片９２の位置設定が行われている場合には、シートバックＳ２の立直位置と後倒位置との間に傾倒ロック域Ｒ１が設定されている。従って、ロックプレート４の係止歯４１ａがこの傾倒ロック域Ｒ１内に位置した状態では、コイルばね８４（図２）の付勢力による各ロックプレート４の径方向外方に向かう移動により係止歯４１ａが内歯３４に噛合してシートバックＳ２の傾倒位置をロックするため、操作桿７の操作で上記噛合を解除しながらシートバックＳ２の傾倒位置を選択し、上記操作を中止することによって傾倒ロック域Ｒ１内の任意の傾倒位置でシートバックＳ２をロックすることができる。
【００５２】
そして、後席の搭乗者の乗降のために操作桿７の操作でロックを解除してシートバックＳ２を前倒すると、第２ブラケット３がカム軸６回りに時計方向に回動し、係止歯４１ａが、図７の（ロ）に示すように、傾倒ロック域Ｒ１から外れてマスク片９２に対向したアンロック域Ｒに突入するため、操作桿７の操作を止めても係止歯４１ａがマスク片９２に阻止されて内歯３４に噛合することができず、従って、シートバックＳ２は、図略の付勢手段によって前倒方向に付勢されている場合には、最前倒位置にまで傾き、これによって後席の搭乗者が乗降し得るようになる。
【００５３】
ついで、後席の搭乗者の乗降が終わった時点で操作桿７を操作することなくシートバックＳ２に対して起す方向に力を加えると、ロックプレート４の係止歯４１ａがマスク片９２の表面を滑ることによりシートバックＳ２はカム軸６回りに時計方向に回動し、係止歯４１ａが傾倒ロック域Ｒ１に突入すると、ここでは内歯３４がマスクされていないため、係止歯４１ａはコイルばね８４の付勢力で径方向に移動して内歯３４に噛合し、これによってシートバックＳ２は傾倒ロック域Ｒ１の標準初段位置Ｔ１で立直姿勢に戻される（図７の（イ））。
【００５４】
つぎに、図８の（イ）に示すように、操作レバー９３の操作で、プレート本体９１を反時計方向に所定角度（操作角度）αだけ回動すると、これによってアンロック域Ｒおよび傾倒ロック域Ｒ１の双方がカム軸６回りに操作角度αだけ移動し、後ろに傾いた調整後初段位置Ｔ２が形成された状態になる。従って、以後は、シートバックＳ２の傾倒範囲が上記操作角度αだけ後倒側に移動するが、設定位置でのシートバックＳ２のロックおよびロック解除操作、並びにアンロック域Ｒへの移行操作については、図７の（イ）を基に先に説明したのと同様である。
【００５５】
そして、アンロック域Ｒおよび傾倒ロック域Ｒ１を、図７の（イ）に示す定常位置から図８の（イ）に示すように所定角度αだけずらせると、後席の搭乗者の乗降のためにシートバックＳ２を最前倒位置まで倒した（図８の（ロ））後で、ロックプレート４をアンロック域Ｒから傾倒ロック域Ｒ１に戻したときに、係止歯４１ａが最初に内歯３４に噛合する位置は、図７の（イ）に示す通常の初段位置Ｓ１より操作レバー９３の操作角度αだけ後倒した調整後初段位置Ｔ２（図８の（イ））に変わっているため、シートバックＳ２は、この調整後初段位置Ｔ２に対応した傾倒位置に位置設定されることになる。
【００５６】
従って、メモリープレート９の操作で着座者の好みに合わせて初段位置を予め設定しておけば、後席の搭乗者の乗降のためにシートバックＳ２を最前倒位置に倒した後、シートバックＳ２を元の位置に戻すだけで、着座者が好みに合わせて設定した初段位置にロックされるので、従来のようにシートバックＳ２を一旦初段位置にしてから操作桿７を再度操作してその搭乗者が好みの傾倒位置に位置設定するような面倒な操作を行う必要がなくなり、その分リクライナ１の操作性が向上する。
【００５７】
【発明の効果】
請求項１記載の発明によれば、第１および第２ブラケット間に内歯をマスクしてロックプレートの内歯に対する噛合を阻止するメモリープレートを介設し、このメモリープレートを、環状のプレート本体と、このプレート本体の対向周面から円形凹部の内歯を所定範囲でマスクするように延設された一対のマスク片と、プレート本体から外方に向かって突設された、プレート本体の回動操作用の操作レバーとから構成したため、操作レバーを回動中心回りに回動操作することによるメモリープレートの回動によって、プレート本体に設けられたマスク片による内歯のマスク位置を変更することができる。
【００５８】
そして、マスク片による内歯のマスク位置を変更することにより、ロックプレートの内歯に対する噛合位置が変更され、これによってシートバックの傾倒姿勢のロック可能位置を変更することができる。すなわち、メモリープレートにシートバックのいわゆるロックフリー位置を記憶させた状態にすることができる。
【００５９】
このようにプレート本体の回動操作でシートバックのロック可能位置を任意に変更することが可能になるため、シートバックの傾倒位置の選択範囲が拡大するとともに、状況に応じてより適したシートバックの傾倒位置を直ちに再現させることができる。
【００６０】
請求項２記載の発明によれば、プレート本体に外方に向かって突設されたプレート本体の回動操作用の操作レバーを設けたため、この操作レバーを操作することによってプレート本体を回動させることが可能になり、マスク片の位置設定操作を容易に行うことができる。
【００６１】
請求項３記載の本発明によれば、マスク片に弾性変形により内歯に係脱自在に噛合する位置決め突起を設けたため、操作レバーの操作でメモリープレートを回動させることにより位置決め突起が第２ブラケットの内歯に係脱するため、このときの手応えで節度感を得ることができ、メモリープレートの回動量を実感することができる。
【００６２】
また、一旦設定されたメモリープレートの回動位置は、位置決め突起が内歯に噛合することで維持されるため、操作レバーに力を加えて操作しない限りシートバックを傾倒操作することによるロックプレートの回動によってメモリープレートが共回りするような不都合が回避され、一旦設定されたロックフリー範囲を確実に保持することができる。
【図面の簡単な説明】
【図１】本発明のリクライナ構造が適用されるリクライニングシートの一実施形態を示す側面視の説明図である。
【図２】リクライナの一実施形態を示す一部切欠き分解斜視図である。
【図３】図２に示すリクライナの組立て斜視図である。
【図４】図２のＸ線視およびＹ線視の斜視図である。
【図５】ロックプレートの一実施形態を示す正面図であり、（イ）はロックプレートの係止歯が案内溝から外部に突出した状態、（ロ）は係止歯が案内溝内に没入した状態をそれぞれ示している。
【図６】メモリープレートの一実施形態を示す斜視図である。
【図７】本発明の作用を説明するための説明図であり、シートバックの標準初段位置が得られるようにメモリープレートを位置設定した場合を示し、（イ）は、シートバックが初段位置で傾倒ロックされた状態、（ロ）は、シートバックが最前倒位置に倒された状態をそれぞれ示している。
【図８】本発明の作用を説明するための説明図であり、シートバックの初段位置を標準的なものより後倒側になるようにメモリープレートを位置設定した場合を示し、（イ）は、シートバックが初段位置で傾倒ロックされた状態、（ロ）は、シートバックが最前倒位置に倒された状態をそれぞれ示している。
【符号の説明】
２  第１ブラケット
３  第２ブラケット
２５  案内溝
４  ロックプレート
４１  係止歯プレート
４１ａ  係止歯
４２  鈎形プレート
４４ａ  係止突起
４５  湾曲凹部
５  カム
５１ｂ  第２円弧縁部
６  カム軸
７  操作桿
８  保持プレート
９  メモリープレート
９１  プレート本体
９２  マスク片
９２ａ  位置決め突起
【図１】
0004472089.tif 000002
【図２】
0004472089.tif 000003
【図３】
0004472089.tif 000004
【図４】
0004472089.tif 000005
【図５】
0004472089.tif 000006
【図６】
0004472089.tif 000007
【図７】
0004472089.tif 000008
【図８】
0004472089.tif 000009